(57)【要約】【課題】通常の使用の際にはゴーグル又はダイビングマスクとして水中での視界の確保や目の保護に用いることができると共に、必要の際には遠方の目標物を容易に確認することができる潜望鏡付水中スコープを提供する。【解決手段】着用者の眼前に位置して水中での視界を確保するレンズとこのレンズを着用者の頭部に固定するための本体フレームを有するメガネ本体と、このメガネ本体に取り付けられ、水面上の目標物を確認する潜望鏡とを備えていることを特徴とするものである。【選択図】図１
2007108294.tif 000002
【特許請求の範囲】
【請求項１】
着用者の眼前に位置して水中での視界を確保するレンズとこのレンズを着用者の頭部に固定するための本体フレームを有するメガネ本体と、このメガネ本体に取り付けられ、水面上の目標物を確認する潜望鏡とを備えていることを特徴とする潜望鏡付水中スコープ。
【請求項２】
メガネ本体が、左右一対のアイカップを備えたゴーグルである請求項１に記載の潜望鏡付水中スコープ。
【請求項３】
メガネ本体が、ダイビングマスクである請求項１に記載の潜望鏡付水中スコープ。
【請求項４】
潜望鏡が、正立光学系を構成するポロプリズム式スコープである請求項１〜３の何れかに記載の潜望鏡付水中スコープ。
【請求項５】
潜望鏡が、メガネ本体に着脱可能に取り付けられる請求項１〜４の何れかに記載の潜望鏡付水中スコープ。
【請求項６】
メガネ本体に潜望鏡を着脱可能に取り付ける取付手段が、潜望鏡側に設けられている請求項５に記載の潜望鏡付水中スコープ。
【請求項７】
取付手段が、メガネ本体のレンズに吸着する吸盤、及び／又は、メガネ本体の本体フレームに係止する取付紐である請求項６に記載の潜望鏡付水中スコープ。
【請求項８】
取付手段が、メガネ本体の本体フレーム側に設けられたメガネ本体側取付フレームと、潜望鏡側に設けられた潜望鏡側取付フレームとで構成されている請求項６に記載の潜望鏡付水中スコープ。
【請求項９】
潜望鏡がメガネ本体にそのレンズ前面に位置する使用位置とこのレンズ前面から離れて視界の邪魔にならない格納位置との間で移動できるように取り付けられている請求項１〜８のいずれかに記載の潜望鏡付水中スコープ。
【発明の詳細な説明】
【技術分野】
【０００１】
本発明は、屋外での競泳や遊泳などに使用されるゴーグル及びスノーケリングやダイビングなどに使用されるダイビングマスクに関する。
【背景技術】
【０００２】
【特許文献１】特開２００２−４５４３９号公報
【特許文献２】登録実用新案第３０３４４７３号公報  (第４図)
【０００３】
従来よりプールで競泳あるいは遊泳する場合には、水中での視界を確保すると共にプールの水に含まれる消毒のための塩素やその他の雑菌から目を保護するために主としてゴーグルが用いられ、また、海での遊泳やスノーケリング、ダイビング等の際には水中での比較的広い視界を確保すると共に海水から目を保護するために主としてダイビングマスクを着用することが行われている。
【０００４】
そして、上記ゴーグルとしては、例えば、着用者の眼前に位置して水中での視界を確保する一対のレンズと、これらのレンズが装着されて一対のアイカップを構成するフレーム部と着用者の頭部に固定するためのヘッドバンド部とを備えた本体フレームとで構成されているものが知られている(例えば、特許文献１)。
【０００５】
また、上記ダイビングマスクとしては、例えば、着用者の眼前に位置して水中での視界を確保する比較的大きな１つ又は一対のレンズと、このレンズを保持すると共に着用者の顔面に密着し水を遮断するマスクシール材(弾性材部)を備えたフレーム部(枠体)と着用者の頭部に固定するためのヘッドバンド部(弾性帯)とを備えた本体フレームとで構成されるものが知られている(例えば、特許文献２)。
【０００６】
ところで、近年、海岸線近くの海上に目標となるブイを複数浮かべ、所定距離の周回コースを設定し、当該周回コースを完泳する所要時間や、スタート地点に指定された海岸から所定距離離れている他の海岸まで完泳する所要時間などを競うオープンウォータースイミング(Ｏｐｅｎ Ｗａｔｅｒ Ｓｗｉｍｍｉｎｇ、以下略して「ＯＷＳ」という)の大会が盛んに開催されている。
【０００７】
ＯＷＳ大会の競技者は、ゴーグルを装着し、海上に浮かぶブイや停泊しているヨットなど遠くの目標物を進行方向の目安として泳いでいる。ところが、これらの目標物へ向けて真っ直ぐ泳いでいるつもりでも、海岸から沖へ向かう離岸流や潮の流れの影響で知らぬ間に流されてしまい、進行方向が目標物から外れてしまうことがある。そのため、競技者は、頭部から肩までを水面上に出し、立ち泳ぎをしながら目標物や周囲を確認することを何度も繰返しながら泳ぐか、あるいは、泳ぎながら頭部を水面上に出すヘッドアップクロールで目標物や周囲を確認しながら泳ぐ必要があるが、立ち泳ぎを何度も繰り返すと順位に影響があり、また、ヘッドアップクロールでは、その視点が低く、波が少しでも高いと遠くのブイやヨットなどの目標物を確認するのが困難である。
【０００８】
また、スノーケリングにおいては、遊泳者は、海岸線の地形や自ら沖まで搭乗して来たボートなどを目印に自分の現在位置を確認しながら海洋生物を観賞するが、観賞に夢中になるあまり自分の現在位置の確認が疎かとなり、潮の流れにより自分が流されていることに気付かない場合があり、また、ダイビングにおいても、遊泳者は、海底の岩や珊瑚などを観賞した後で浮上した際に目印とした海岸線の地形や自ら沖まで搭乗して来たボートなどを見失うことがあるが、このような場合には、遠く離れた海岸線の地形やボートの位置などを正確に確認する必要が生じる。
【発明の開示】
【発明が解決しようとする課題】
【０００９】
そこで、本発明者は、例えば、ＯＷＳ大会の競技等の際には通常のゴーグルとして使用でき、あるいは、スノーケリングやダイビングの際には通常のダイビングマスクとして使用できると共に、使用中に遠方の目標物を確認する必要が生じた場合には、泳ぎながら又は海面に浮上して、容易に遠方の目標物を確認することができる水中スコープについて鋭意検討し、本発明を完成した。
【００１０】
従って、本発明の目的は、通常の使用の際にはゴーグル又はダイビングマスクとして水中での視界の確保や目の保護に用いることができると共に、必要の際には遠方の目標物を容易に確認することができる潜望鏡付水中スコープを提供することにある。
【課題を解決するための手段】
【００１１】
すなわち、本発明の潜望鏡付水中スコープは、着用者の眼前に位置して水中での視界を確保するレンズとこのレンズを着用者の頭部に固定するための本体フレームを有するメガネ本体と、このメガネ本体に取り付けられ、水面上の目標物を確認する潜望鏡とを備えていることを特徴とするものである。
【００１２】
本発明において、メガネ本体については、その本体フレームがそれぞれレンズが装着されて一対のアイカップを構成するフレーム部と着用者の頭部に固定するためのヘッドバンド部とを備えたいわゆるゴーグルであっても、また、比較的大きな１つ又は一対のレンズを保持すると共に着用者の顔面に密着し水を遮断するマスクシール材を備えたフレーム部と着用者の頭部に固定するためのヘッドバンド部とを備えたいわゆるダイビングマスクであってもよい。このメガネ本体については、取り付けられる潜望鏡の重量に耐えられるように、必要により例えば、レンズの平面部の輪郭周辺にリブを設ける等の手段を講じてその剛性や強度を高めるのがよい。
【００１３】
また、本発明において、上記メガネ本体に取り付けられる潜望鏡については、目標物の光軸を入射させる対物レンズと、着用者が覗く対眼レンズとが共に凸レンズから成り、２個または３個の直角プリズムで倒立像を反転させて正立像を得る、所謂正立光学系を構成するポロプリズム式スコープであることが好ましい。そして、対物レンズについては、潜望鏡がメガネ本体に取り付けられている状態で少なくとも対眼レンズ、即ち、着用者の視点の位置よりも垂直方向において高い位置に設定されるように潜望鏡を構成するのがよい。また、潜望鏡は、着用者の希望に応じ、倍率を選択することができる構成を適用してもよく、更には、焦点距離を調節することができる機構を適宜設けてもよい。これにより、着用者の視点が実際の視点よりも高くなり、水面上の遠方の目標物を確認し易くすることができる。また、着用者の視野角が狭く、潜望鏡の対眼レンズが着用者にとって覗き込み難い場合には、メガネ本体のレンズを挟むようにして対眼レンズの対向位置にアイピースを取り付けるとよい。このアイピースにより、着用者の視野角を広げることができ、着用者が対眼レンズを覗き込み易くすることが可能となる。この時、眼前にアイピースが取り付けられている目は、アイピースと接近しており潜望鏡しか覗き込むことができないため、着用者の視界を確保する便宜上、アイピースを使用するのは１つの潜望鏡をメガネ本体に取り付ける場合に限られるが、潜望鏡とアイピースとをセットで使用する場合には、専用の潜望鏡を適用するのがよく、着用者は潜望鏡のみ、あるいは、アイピースと専用の潜望鏡とをセットで使用するかを適宜選択することができる。尚、ダイビングマスクについては、そのレンズ部が大きいため、レンズ部に取り付けられる潜望鏡を大きく、ひいては対眼レンズの直径を大きく設定することができ、着用者の視野角を広く取ることが可能となるので、アイピースは不要となる。
【００１４】
この時、潜望鏡は、着用者の眼前に位置して水中での視界を確保するメガネ本体のレンズに取付手段により取り付けられるが、このレンズの面積に対し潜望鏡及び取付手段が当該レンズを占有する面積は小さくなるように構成されており、当該潜望鏡の小型化を図ると共に、着用者の視界を確保させるレンズに透過性樹脂などを適用することにより、着用者の視界を完全には遮蔽しないものとなっている。そして、１つの潜望鏡をメガネ本体のレンズに取り付ける場合、着用者は希望に応じ、何れか一方の眼前に潜望鏡を取り付けるかを適宜選択できるものとなっている。また、取付手段については、潜望鏡がレンズ前面に位置する使用位置とこのレンズ前面から離れて視界の邪魔にならない格納位置との間で移動可能な構成を適用できるものとなっている。そのため、潜望鏡を使用しない場合に着用者は自らの視線を潜望鏡の対眼レンズ及び潜望鏡そのものから避けることにより、視界を確保することが可能である。従って、着用者は潜望鏡を通して目標物を確認する際に視線を当該潜望鏡の対眼レンズに向けるだけで必要に応じ遠方の目標物を容易に確認することができる。
【００１５】
更に、本発明において、上記メガネ本体に上記潜望鏡を取り付ける方法については、メガネ本体に潜望鏡を固定的に取り付けてもよく、また、必要とする場合にのみ潜望鏡を取り付けることができるように、メガネ本体に潜望鏡を着脱可能に取り付けるようにしてもよい。そして、メガネ本体に潜望鏡を着脱可能に取り付ける場合、その取付手段については、専ら潜望鏡側に設ける構成にしてもよく、また、専らメガネ本体側に設ける構成にしてもよく、更には、これら潜望鏡側とメガネ本体側とに跨って設ける構成にしてもよい。また、取付手段については、複数の取付手段を併用させる構成にしてもよく、例えば、取付手段をメガネ本体側に設ける構成と、潜望鏡側に設ける構成とを併用してもよい。
【００１６】
取付手段を潜望鏡側に設ける場合、取付手段としては、例えば、潜望鏡の対眼レンズに吸盤などの吸着手段を設け、この吸着手段により潜望鏡をメガネ本体のレンズの所定位置に取り付けたり、あるいは、好ましくはゴム、ウレタンや塩化ビニルなどの弾性材料で形成した取付紐等の固定手段を潜望鏡に取り付け、この取付紐を用いて潜望鏡をメガネ本体の所定位置に取り付けたり、更には、これら吸着手段と固定手段とを併用してもよい。
【００１７】
次に、取付手段をメガネ本体側に設ける場合には、例えば、メガネ本体の本体フレームには、弾性材料により上記本体フレームとは一体又は別体に取付孔を有するリング状あるいは筒状に形成され、この取付孔がメガネ本体のレンズの前面側で着用者の視界を完全には遮蔽しない位置にあり、材料の持つ弾性を利用して取付孔の孔径を拡大しその中に潜望鏡の対眼レンズ側を嵌め込んで潜望鏡を着脱可能に保持するようにした保持部を設けるとよい。
【００１８】
更に、取付手段を潜望鏡側とメガネ本体側とに跨って設ける構成にする場合には、例えば、取付手段をメガネ本体の本体フレーム側に設けられたメガネ本体側取付フレームと潜望鏡側に設けられた潜望鏡側取付フレームとで構成し、これらメガネ本体側取付フレームと潜望鏡側取付フレームとの間を着脱可能に連結できるようにするのがよい。
【００１９】
また、上記メガネ本体と潜望鏡との間の取り付けについては、潜望鏡がメガネ本体に固定的に取り付けられるか取付手段により着脱可能に取り付けられるかにかかわらず、また、着脱可能に取り付ける取付手段が専ら潜望鏡側に設けられるか、また、専らメガネ本体側に設けられるか、更には、これら潜望鏡側とメガネ本体側とに跨って設けられるかにかかわらず、潜望鏡がレンズ前面に位置する使用位置とこのレンズ前面から離れて視界の邪魔にならない格納位置との間で移動できるように取り付けてもよい。この時、潜望鏡を使用位置及び格納位置に確実に保持させるため、メガネ本体、あるいは、潜望鏡側にストッパーを設けると共に、このストッパーを解除するためのボタンを設け、着用者が潜望鏡の設定位置として使用位置、あるいは、格納位置を適宜選択できる構成とするのが好ましい。このような構成を適用することにより、潜望鏡が使用位置に設定されている場合には、着用者は必要に応じ遠方の目標物を容易に確認することが可能である。また、潜望鏡が格納位置に設定されている場合には、着用者は良好な視界を得ることができる。
【発明の効果】
【００２０】
以上のように構成される本発明の潜望鏡付水中スコープによれば、通常の使用の際にはゴーグル又はダイビングマスクとして水中での視界の確保や目の保護に用いることができると共に、必要の際には遠方の目標物を容易に確認することが可能となる。
【発明を実施するための最良の形態】
【００２１】
以下、添付図面に基づいて、本発明の潜望鏡付水中スコープの好適な実施の形態を具体的に説明する。
【実施例１】
【００２２】
取付手段を潜望鏡側に設ける構成を有する本発明の実施例１を示しているのが図１及び図２である。図１には、本実施例の正面図が示されており、図２には、その側面図が示されている。本実施例における潜望鏡付水中スコープは、一対のレンズ１０Ｒ、１０Ｌを備えるゴーグル１と、潜望鏡３Ｌと、潜望鏡３Ｌに貼着され、潜望鏡３Ｌの対眼レンズ(図示せず)をレンズ１０Ｌに吸着させる塩化ビニル樹脂などの弾性部材から成る本実施例の吸着手段である吸盤４Ｌとから構成されている(図１)。そして、図２には、着用者の眼球Ｅと、その視線Ｅａとが示されている。
【００２３】
本実施例におけるゴーグル１は、図３に示されているように、着用者の眼前に位置して水中での視界を確保する一対のレンズ１０Ｒ、１０Ｌと、これらレンズ１０Ｒ、１０Ｌが装着されて一対のアイカップを構成するフレーム１１Ｒ、１１Ｌと、フレーム１１Ｒ、１１Ｌの外側端部に着用者の頭部に固定するためのヘッドバンド１２とを備えた本体フレームとで構成されている。そして、レンズ１０Ｒ、１０Ｌはそれぞれ平面部１０Ｒａ、１０Ｌａを有するものとなっている。また、フレーム１１Ｒ、１１Ｌは、着用者の目の間隔に合わせアイカップの間隔を調節できる鼻バンド１１ａをその内側端部に備えるものとなっている。更に、ヘッドバンド１２は、着用者の頭部外周長さに応じその長さを調節できる長さ調節具１２ａを備えるものとなっている。
【００２４】
また、本実施例における潜望鏡を示しているのが図４及び図５である。図４には、本潜望鏡の側面透視図が示されており、図５には、本潜望鏡の正面図が示されている。潜望鏡３は、目標物の光軸を入射させる対物レンズ３１と、本発明の水中スコープの着用者が覗き込む対眼レンズ３２と、対物レンズ３１から入射された目標物の倒立像を反転させて正立像とする２個の直角プリズム３３ａ、３３ｂと、これら対物レンズ３１、対眼レンズ３２及び直角プリズム３３ａ、３３ｂをそれぞれ所定の設定位置に固定すると共に、それぞれを保護する筐体３０とから構成されている(図４及び図５)。そして、矢印Ｒにより示されているように、対物レンズ３１から入射された目標物の倒立像(光軸)は、２個の直角プリズム３３ａ、３３ｂにより正立像として対眼レンズに導かれるものとなっている(図４)。
【００２５】
図４及び図５に示されている潜望鏡３の構成において、対物レンズ３１の中心軸３１ａは、対眼レンズ３２の中心軸３２ａに対し少なくとも所定の高さｈを有することが好ましく、この高さｈについては適宜設定することができる。そして、高さｈを設定することにより、対物レンズ３１の中心軸３１ａは対眼レンズ３２の中心軸３２ａよりも高い位置に設定され、着用者の視点が実際の視点よりも高くなり、遠方の目標物を容易に確認することが可能となる。
【００２６】
本実施例において、レンズ１０Ｌに取り付けられた潜望鏡３Ｌは、レンズ１０Ｌの平面部１０Ｌａに着脱可能に取り付けられており、更には、着用者が左目の視線Ｅａを真直ぐ前方へ向けた際に潜望鏡３Ｌの対眼レンズ(図示せず)を覗き込むことができる位置に取り付けられている(図２)。ここで、着用者の左目の視線が潜望鏡３Ｌの対眼レンズ(図示せず)に向けられた際には、その視線は潜望鏡３Ｌの対物レンズ(図示せず)の位置、言い換えれば、実際よりも高い位置に視線が設定されるため、着用者は必要に応じ視線を潜望鏡３Ｌの対眼レンズへ向けるだけで遠方の目標物を容易に確認することが可能である。そして、潜望鏡３Ｌ及び吸盤４Ｌは、レンズ１０Ｌの一部を覆うものであり、着用者の視界を完全に損なわせるものではないため、着用者が潜望鏡３Ｌを使用しない場合において泳ぐのに必要とされる視界を十分に確保することができる。更に、吸盤４Ｌは弾性部材により形成されているため、着用者が泳いでいる最中に潜望鏡３Ｌに作用する力を吸収することが可能であり、潜望鏡３Ｌがレンズ１０Ｌから脱落することを防止することができる。尚、本実施例において、潜望鏡３はゴーグル１のレンズ１０Ｌに着脱可能に取り付けられているが、潜望鏡３Ｌをもう一方のレンズ１０Ｒの平面部１０Ｒａに取り付けてもよい。また、潜望鏡３は、倍率を選択可能な構成を適用してもよく、更には、焦点距離を調節することができる機構を設けてもよく、着用者の希望に応じ、倍率の選択、あるいは、焦点距離の調節を適宜行うことができる構成としてもよい。
【実施例２】
【００２７】
実施例１の変形例である実施例２の潜望鏡付水中スコープの側面図を示しているのが図６である。本図におけるレンズ１０Ｌ及びヘッドバンド１２を備えるゴーグル１、潜望鏡３Ｌ及び吸盤４Ｌは、それぞれ図３、図４(図５)及び図１(図２)において示されているものと同様の構成であるためその説明は省略する。本実施例の構成は、実施例１の構成に加え、レンズ１０Ｌを挟むようにして潜望鏡３Ｌの対眼レンズ(図示せず)の対向位置にアイピース５がネジもしくは吸盤により着脱可能に取り付けられているものとなっている。このアイピース５は、潜望鏡３Ｌを覗き込む着用者の視野角が狭く、着用者が潜望鏡３Ｌの対眼レンズを覗き込み難い場合に、取り付けることができるものとなっている。そして、本図には、着用者の眼球Ｅが示されている。
【００２８】
本実施例は、実施例１と同様に遠方の目標物を容易に確認できるものとなっているが、アイピース５を取り付けることにより着用者の視野角が広がり、着用者が潜望鏡３Ｌの対眼レンズを覗き込み易くすることが可能となる。そして、本実施例においてアイピース５は、レンズ１０Ｌに着脱可能に取り付けられているが、例えばアイピース５をネジによりレンズ１０Ｌに取り付ける場合には、アイピース５とレンズ１０Ｌとを螺合させてもよい。また、アイピース５を吸盤によりレンズ１０Ｌに取り付ける場合には、アイピース５と着用者の眼球Ｅとが接近し過ぎないような厚さを有する吸盤を適用し、アイピース５とレンズ１０Ｌとを吸着させてもよい。更に、アイピース５をネジもしくは吸盤によりレンズ１０Ｌに着脱可能に取り付けられる構成を適用する場合には、アイピース５とセットで使用する専用の潜望鏡を適用するのがよく、着用者は潜望鏡のみを使用するか、アイピースと専用の潜望鏡とをセットで使用するかを適宜選択することができる。尚、レンズ１０Ｌ及びアイピース５のレンズは、何れも着色された透過性樹脂を適用することができ、着用者の目を紫外線などから守ることが可能である。また、眼前にアイピースが取り付けられている目(本実施例では左目)は、アイピースと接近しており潜望鏡しか覗き込むことができないため、着用者の視界を確保する便宜上、アイピースを使用するのは１つの潜望鏡をメガネ本体に取り付ける場合に限られる。本実施例では、アイピースと専用の潜望鏡とのセットを左目用のレンズ１０Ｌに取り付ける場合の例が示されているが、着用者が右目で潜望鏡を使用したい場合には、右目用のレンズ１０Ｒの平面部１０Ｒａにアイピースと専用の潜望鏡とのセットを取り付けることができる。
【実施例３】
【００２９】
取付手段を潜望鏡側に設ける構成を有する本発明の実施例３を示しているのが図７及び図８である。図７には、本実施例の正面図が示されており、図８には、その平面図が示されている。本実施例における潜望鏡付水中スコープは、一対のレンズ１０Ｒ、１０Ｌを備えるゴーグル１と、レンズ１０Ｒ、１０Ｌの平面部１０Ｒａ、１０Ｌａに本実施例の吸着手段である吸盤４Ｒ、４Ｌによりそれぞれ着脱可能に取り付けられている潜望鏡３Ｒ、３Ｌと、先端部にネジ山(図示せず)を有し、レンズ１０Ｒ、１０Ｌの鼻バンド１１ａ側の方向へ向けて潜望鏡３Ｒ、３Ｌからそれぞれ突設されている連結部材３Ｒａ、３Ｌａと、連結部材３Ｒａ、３Ｌａの何れか一方の先端部に回動可能に取り付けられ、他方の先端部に螺合されている調節ネジ３ｂと、潜望鏡３Ｒ、３Ｌにそれぞれ貼着され、潜望鏡３Ｒ、３Ｌをそれぞれレンズ１０Ｒ、１０Ｌの平面部１０Ｒａ、１０Ｌａへ吸着させる吸盤４Ｒ、４Ｌとから構成されている。そして、調節ネジ３ｂは、回動させられることにより、着用者の視点の間隔に応じ潜望鏡３Ｒ、３Ｌの間隔を調節することができるものとなっている。尚、本実施例におけるゴーグル１、潜望鏡３Ｒ、３Ｌ及び吸盤４Ｒ、４Ｌは、それぞれ図３、図４（図５）及び図１(図２)において示されているものと同様の構成であるためその説明を省略する。
【００３０】
本実施例において潜望鏡３Ｒ、３Ｌ及び吸盤４Ｒ、４Ｌはそれぞれレンズ１０Ｒ、１０Ｌの一部を覆うものであり、着用者の視界が完全に損なわれるものではないため、着用者は必要に応じ潜望鏡３Ｒ、３Ｌそれぞれの対眼レンズ(図示せず)へ視線を向けるだけで遠方の目標物を容易に確認することができる。また、潜望鏡３Ｒ、３Ｌはそれぞれ弾性部材により形成される吸盤４Ｒ、４Ｌにより平面部１０Ｒａ、１０Ｌａに吸着されているため、着用者が泳いでいる最中に潜望鏡３Ｒ、３Ｌに作用する力を吸収することができる。更に、着用者がゴーグル１を着用している状態においては、着用者の頭部、具体的には眼周辺部の形状に沿ってレンズ１０Ｒ、１０Ｌが密着されているため、潜望鏡３Ｒ、３Ｌが吸着される平面部１０Ｒａ、１０Ｌａが互いに略同一平面上に存在するような状態(図８の状態)ではなくても潜望鏡３Ｒ、３Ｌを平面部１０Ｒａ、１０Ｌａの所定位置に保持することが可能である。
【実施例４】
【００３１】
取付手段を潜望鏡側に設ける構成を有する本発明の実施例４を示しているのが図９及び図１０である。図９には、本実施例の正面図が示されており、図１０には、その平面図が示されている。本実施例における潜望鏡付水中スコープは、実施例３の構成に加え取付手段としてゴム、ウレタンや塩化ビニルなどの弾性部材により形成される取付紐６Ｒａ、６Ｒｂ及び取付紐６Ｌａ、６Ｌｂが潜望鏡３Ｒ、３Ｌにそれぞれ対を成して取り付けられており、吸着手段と固定手段とが併用されている。そして、取付紐６Ｒａ、６Ｒｂ及び取付紐６Ｌａ、６Ｌｂは、それぞれレンズ１０Ｒ、１０Ｌの内側端部及び外側端部に掛止され、潜望鏡３Ｒ、３Ｌはレンズ１０Ｒ、１０Ｌの平面部１０Ｒａ、１０Ｌａにそれぞれ着脱可能に取り付けられている。尚、本実施例におけるゴーグル１と、潜望鏡３Ｒ、３Ｌと、連結部材３Ｒａ、３Ｌａと、調節ネジ３ｂと、吸盤４Ｒ、４Ｌの構成は実施例３と同様の構成であるためその説明を省略する。
【００３２】
本実施例は吸着手段と固定手段とを併用しているものの潜望鏡３Ｒ、３Ｌ、吸盤４Ｒ、４Ｌ、取付紐６Ｒａ、６Ｒｂ及び取付紐６Ｌａ、６Ｌｂは、レンズ１０Ｒ、１０Ｌの一部を覆うものであり、着用者の視界が完全に損なわれるものではないため、着用者は必要に応じ潜望鏡３Ｒ、３Ｌそれぞれの対眼レンズ(図示せず)へ視線を向けるだけで遠方の目標物を容易に確認することが可能である。また、吸着手段と固定手段とを併用しているため、実施例３の構成と比べ、潜望鏡３Ｒ、３Ｌをそれぞれレンズ１０Ｒ、１０Ｌの平面部１０Ｒａ、１０Ｌａへ強固に固定することができる。
【００３３】
本実施例においては、取付手段として吸着手段と固定手段とを併用しているものについて説明したが、潜望鏡をダイビングマスクに取り付ける場合についても適用することができる。この場合において、１つの潜望鏡を取り付ける際には、吸盤などの吸着手段を適用すると共に、一対の取付紐を潜望鏡に取り付け、ヘッドバンドの取付部に掛止させることが好ましい。また、２つの潜望鏡を取り付ける際には、吸着手段と取付紐などの固定手段とを併用することができるが、取付紐はヘッドバンドの取付部に掛止させるため、２つの潜望鏡で一対の取付紐を用いる構成とするのがよい。
【実施例５】
【００３４】
取付手段を潜望鏡側とメガネ本体側とに跨って設ける構成を有する本発明の実施例５を示しているのが図１１及び図１２である。図１１には、本実施例の正面図が示されており、図１２には、その側面図が示されている。本実施例における潜望鏡付水中スコープは、一対のレンズ１０Ｒ、１０Ｌを備えるゴーグル１と、レンズ１０Ｒ、１０Ｌの平面部１０Ｒａ、１０Ｌａに取り付けられているメガネ本体側取付フレーム７Ｒａ、７Ｌａと、このメガネ本体側取付フレーム７Ｒａ、７Ｌａにそれぞれ軸支されている潜望鏡側取付フレーム７Ｒｂ、７Ｌｂと、この潜望鏡側取付フレーム７Ｒｂ、７Ｌｂにそれぞれ取り付けられている潜望鏡３Ｒ、３Ｌと、メガネ本体側取付フレーム７Ｒａ、７Ｌａに穿設され、潜望鏡３Ｒ、３Ｌに貼着されている吸盤４Ｒ、４Ｌを通す貫通孔７Ｒｃ、７Ｌｃと、先端部にネジ山(図示せず)を有し、レンズ１０Ｒ、１０Ｌの鼻バンド(図示せず)側の方向へ向けて潜望鏡３Ｒ、３Ｌからそれぞれ突設されている連結部材３Ｒａ、３Ｌａと、連結部材３Ｒａ、３Ｌａの何れか一方の先端部に回動可能に取り付けられ、他方の先端部に螺合されている調節ネジ３ｂと、ゴム、ウレタンや塩化ビニルなどの弾性部材により形成され、メガネ本体側取付フレーム７Ｒａ、７Ｌａにそれぞれ対を成して取り付けられている取付紐６Ｒａ、６Ｒｂ及び取付紐６Ｌａ、６Ｌｂとから構成されている。そして、取付紐６Ｒａ、６Ｒｂ及び取付紐６Ｌａ、６Ｌｂは、それぞれレンズ１０Ｒ、１０Ｌの内側端部及び外側端部に掛止され、メガネ本体側取付フレーム７Ｒａ、７Ｌａを平面部１０Ｒａ、１０Ｌａに着脱可能に取り付けるものとなっている。また、調節ネジ３ｂを回転させることにより、着用者の視点の間隔に応じ潜望鏡３Ｒ、３Ｌの間隔を調節することができるものとなっている。更に、図１２には、着用者の眼球Ｅと、その視線Ｅａとが示されている。尚、本実施例におけるゴーグル１、潜望鏡３Ｒ、３Ｌ及び吸盤４Ｒ、４Ｌは、それぞれ図３、図４(図５)及び図１(図２)において示されているものと同様の構成であるためその説明を省略する。
【００３５】
本実施例において潜望鏡３Ｒ、３Ｌは、メガネ本体側取付フレーム７Ｒａ、７Ｌａに軸支されている潜望鏡側取付フレーム７Ｒｂ、７Ｌｂに取り付けられているため、図１２に示されているように、着用者の必要に応じ潜望鏡３Ｌ及び潜望鏡側取付フレーム７Ｌｂを使用位置と、格納位置との間で移動できるものとなっている。具体的には、図１２において潜望鏡３Ｌ1及び潜望鏡側取付フレーム７Ｌｂ1により示されている使用位置と、潜望鏡３Ｌ2及び潜望鏡側取付フレーム７Ｌｂ2により示されている格納位置との間で潜望鏡３Ｌ及び潜望鏡側取付フレーム７Ｌｂの位置が設定できるものとなっている。この時、潜望鏡３Ｒ、３Ｌ及び潜望鏡側取付フレーム７Ｒｂ、７Ｌｂを使用位置及び格納位置に確実に保持させるため、メガネ本体側取付フレーム７Ｒａ、７Ｌａ、あるいは、潜望鏡側取付フレーム７Ｒｂ、７Ｌｂにストッパー(図示せず)を設けると共に、このストッパーを解除するためのボタン(図示せず)を設けるとよい。この構成により、着用者は潜望鏡３Ｒ、３Ｌの設定位置として使用位置、あるいは、格納位置を適宜選択することができる。そして、潜望鏡３Ｒ、３Ｌが使用位置に設定されている場合、着用者は必要に応じ潜望鏡３Ｒ、３Ｌの対眼レンズ(図示せず)に視線Ｅａを向けることにより遠方の目標物を容易に確認することができる。また、潜望鏡３Ｒ、３Ｌが格納位置に設定されている場合、着用者はメガネ本体側取付フレーム７Ｒａ、７Ｌａに穿設されている貫通孔７Ｒｃ、７Ｌｃへ視線Ｅａを向けることにより前方を確認することができ、良好な視界を得ることが可能である。
【００３６】
本実施例においては、取付手段を潜望鏡側とメガネ本体側とに跨って設ける構成について説明した。本構成は、潜望鏡側とメガネ本体側とに跨って設けられている取付手段により潜望鏡をゴーグルに取り付けるものとなっているが、潜望鏡をダイビングマスクに取り付ける場合についてもこの取付手段を適用することができる。この場合、左右のメガネ本体側取付フレームを一体に形成し、このメガネ本体側取付フレームに一対の取付紐を取り付け、この一対の取付紐をレンズの左右両側の端部に設けられているヘッドバンドの取付部などに掛止させればよい。
【実施例６】
【００３７】
取付手段をメガネ本体側に設ける構成を有する本発明の実施例６を示しているのが図１３及び図１４である。図１３には、本実施例の斜視図が示されており、図１４には、図１３におけるＡ−Ａ線断面図が示されている。本実施例における潜望鏡付水中スコープは、ダイビングマスク２と、ダイビングマスク２に取り付けられる潜望鏡３とから構成されている。本構成におけるダイビングマスク２は、着用者の眼前に位置して水中での視界を確保するレンズ２０と、着用者の顔面に密着し水を遮断するマスクシール材２１ａとを備えたフレーム２１と着用者の頭部に固定するためのヘッドバンド２２とを備えた本体フレームとで構成されている。そして、ヘッドバンド２２は、着用者の頭部外周長さに応じその長さを調節可能な長さ調節具２２ａを備えるものとなっている。また、ダイビングマスク２は、取付孔２１ｃを有し、潜望鏡３の対眼レンズ側が嵌め込まれるリング状部材２１ｂと、リング状部材２１ｂをダイビングマスク２のレンズ２０の所定位置に固定する固定部材２１ｄとを備えるものとなっている。更に、潜望鏡３には、潜望鏡３の対眼レンズ側とダイビングマスク２のレンズ２０とを吸着させる吸盤４が貼着されている。
【００３８】
本実施例における潜望鏡３は、着用者の視界を完全には遮蔽しない位置に取り付けられているため、着用者は右目の視線を潜望鏡の対眼レンズに向けることにより、遠方の目標物を容易に確認することができる。そして、潜望鏡３は、リング状部材２１ｂに潜望鏡３の対眼レンズ側が嵌め込まれ、吸盤４によりダイビングマスク２のレンズ２０に吸着されることにより取り付けられているため、簡単に着脱させることが可能である。尚、リング状部材２１ｂ及び固定部材２１ｄは透過性弾性部材により形成することが好ましい。
【００３９】
また、本実施例においては、取付手段をメガネ本体側に設ける構成について説明したが、これら実施例に示されている取付手段の他に、例えば、潜望鏡の対眼レンズ側の一部及びレンズの一部にそれぞれネジ部を設け、双方のネジ部を取付手段としてもよい。この場合においては、潜望鏡及びレンズに設けられている各々のネジ部を螺合させることにより、潜望鏡をダイビングマスクに取り付けることができる。
【００４０】
更に、本構成は、ダイビングマスクに設けられている取付手段により潜望鏡を当該ダイビングマスクに取り付けるものとなっているが、潜望鏡をゴーグルに取り付ける場合についても実施例６に示されている取付手段を適用することができる。この場合において、２つの潜望鏡をゴーグルに取り付ける際には、取付手段をゴーグルに設け、ゴーグルの各レンズにそれぞれ１つの潜望鏡を取り付ければよい。
【００４１】
以上説明した実施例１から実施例６において、実施例１から実施例５に示されているゴーグル１と実施例６に示されているダイビングマスク２については、潜望鏡が取り付けられるため、潜望鏡の重量に耐えられるように、各々のレンズ１０Ｒ、１０Ｌ及びレンズ２０に対し例えば、ゴーグル１であれば平面部１０Ｒａ、１０Ｌａの輪郭周辺に、そして、ダイビングマスク２であればレンズ２０の輪郭周辺にリブを設ける等の手段によりその剛性や強度を高めるのがよい。
【図面の簡単な説明】
【００４２】
【図１】取付手段を潜望鏡側に設ける構成を有する本発明の実施例１の正面図である。
【図２】取付手段を潜望鏡側に設ける構成を有する本発明の実施例１の側面図である。
【図３】本発明に適用可能なゴーグルを示している図である。
【図４】本発明に適用可能な潜望鏡の側面透視図である。
【図５】本発明に適用可能な潜望鏡の正面図である。
【図６】実施例１の変形例である実施例２の側面図である。
【図７】取付手段を潜望鏡側に設ける構成を有する本発明の実施例３の正面図である。
【図８】取付手段を潜望鏡側に設ける構成を有する本発明の実施例３の平面図である。
【図９】取付手段を潜望鏡側に設ける構成を有する本発明の実施例４の正面図である。
【図１０】取付手段を潜望鏡側に設ける構成を有する本発明の実施例４の平面図である。
【図１１】取付手段を潜望鏡側とメガネ本体側とに跨って設ける構成を有する本発明の実施例５の正面図である。
【図１２】取付手段を潜望鏡側とメガネ本体側とに跨って設ける構成を有する本発明の実施例５の側面図である。
【図１３】取付手段をメガネ本体側に設ける構成を有する本発明の実施例６の斜視図である。
【図１４】図１３におけるＡ−Ａ線断面図である。
【符号の説明】
【００４３】
１・・・ゴーグル、１０Ｒ、１０Ｌ・・・レンズ、１０Ｒａ、１０Ｌａ・・・平面部、１１ａ・・・鼻バンド、１２・・・ヘッドバンド、３Ｌ・・・潜望鏡、４Ｌ・・・吸盤
【図１】
2007108294.tif 000003
【図２】
2007108294.tif 000004
【図３】
2007108294.tif 000005
【図４】
2007108294.tif 000006
【図５】
2007108294.tif 000007
【図６】
2007108294.tif 000008
【図７】
2007108294.tif 000009
【図８】
2007108294.tif 000010
【図９】
2007108294.tif 000011
【図１０】
2007108294.tif 000012
【図１１】
2007108294.tif 000013
【図１２】
2007108294.tif 000014
【図１３】
2007108294.tif 000015
【図１４】
2007108294.tif 000016